(57)【要約】【課題】波形屋根の上面より山座を介して突出した上向きボルトへ強力に装着でき、上向きボルトに固定した挟着片が外力によって外れるおそれがない屋根上取付具を提供する。【解決手段】波形屋根Ｙの頂部Ｙ１ａには、その上面より山座Ｃを介して上向きボルトＢが突出しており、挟着具１の挟着片１３の先端には、上向きボルトＢに対して係止可能な係止部１５、１４が、上下方向に複数段に形成されており、一対の挟着片１３を近接させて、最下段の係止部１４を波形屋根Ｙの頂部Ｙ１ａと、山座Ｃとの間に挿入させるとともに、上段の係止部１５を上向きボルトＢの軸部Ｂ１に挟着させるようにしている。【選択図】図１
2011111746.tif 000002
【特許請求の範囲】
【請求項１】
先端同士が対向する一対の挟着片を下部に設けた略門形の挟着具を備えてなり、該挟着具の一対の挟着片を波形屋根の頂部に固定して取り付けられる屋根上取付具において、
上記波形屋根の頂部には、その上面より山座を介して上向きボルトが突出しており、
上記挟着片の先端には、上記上向きボルトに対して係止可能な係止部が、上下方向に複数段に形成されており、
上記一対の挟着片を近接させて、最下段の係止部を上記波形屋根の頂部と、上記山座との間に挿入させるとともに、上段の係止部を上記上向きボルトの軸部に挟着させるようにしたことを特徴とする屋根上取付具。
【請求項２】
請求項１において、
上記波形屋根の頂部と、上記山座との間には防水パッキンが介装されており、
上記最下段の係止部には、上記防水パッキンとの抵触を回避したパッキン収容凹部が形成されている屋根上取付具。
【請求項３】
請求項１または２において、
上記上段の係止部は、上記上向きボルトの軸部の外周面に係止可能な係止凹部を備えている屋根上取付具。
【請求項４】
請求項１〜３のいずれか１項において、
上記挟着具は、上記挟着片を下端に折曲形成させた脚片と、該脚片を両端に有した上板とを含んで一体形成され、一対の脚片を緊締することで一対の挟着片を近接させる構造としている屋根上取付具。
【請求項５】
請求項１〜３のいずれか１項において、
上記挟着具は、上記挟着片がそれぞれの下端に折曲形成された一対の挟着部材を開閉自在に支点連結して構成されている屋根上取付具。
【請求項６】
請求項５において、
上記挟着部材は、中央にボルト貫通孔が開設され、該ボルト貫通孔から一方の側端縁に至る切り溝が形成された上板と、該上板の基端より下方に延びる脚片と、該脚片の下端から上記上板と略同一の方向に延びる上記挟着片とより構成されており、
上記挟着具は、上記２つの挟着部材の上板同士を相対向させた状態で、相互の上板の先端が相手の上板の基端の下に配されるように、上記上板の切り溝同士を相互差し込みして上記両上板を揺動自在に噛み合わせて上記ボルト貫通孔同士を一致させ、その一致させたボルト貫通孔に挟着具締付ボルトを通し、締付ナットを螺合することで上記挟着片の先端同士を近接させる構造としている屋根上取付具。
【発明の詳細な説明】
【技術分野】
【０００１】
本発明は、波形屋根の頂部に取り付けられる屋根上取付具に関する。
【背景技術】
【０００２】
一般に、折板屋根（角波形屋根）、丸波形屋根等の波形屋根の上面に、例えばテレビアンテナや空調機器、太陽電池パネル、断熱シート等の各種機器・部材類を配設することが実施されており、従来には、これらの機器・部材類を屋根上に取り付けるための種々の屋根上取付具が提案されている（例えば、特許文献１参照）。
【０００３】
特に、山部と谷部とが交互に連続してなる波形屋根における山部の頂部で、隣接する屋根材同士を重ねてなる重合部を上向きボルトとナットの螺着によって連結、固定した構造のものでは、重合部を屋根の下方より貫通して屋根上に突出された、屋根材連結のための上向きボルトの軸部を、先端が相対向する挟着片で挟み込んで固定する構造とした屋根上取付具も提案されている。
【０００４】
この屋根上取付具は、例えば、略門形に形成した挟着具の両脚片を横方向に貫通する緊締用ボルト、ナットで両脚片を緊締して、両脚片のそれぞれの下端から対向するように延びた両挟着片を上向きボルトに挟着させる構造となっている。そのため、挟着片の先端が上向きボルトの軸部のネジ溝に食い込んだ状態で固定されるので、屋根上取付具が容易に外れるおそれはない。
【０００５】
また、特許文献１のものは、挟着具が支点連結された一対の挟着部材より構成されているが、この種のものを、両挟着片を上向きボルトに挟着させる構造に適用させた場合でも、同様に、屋根上取付具が容易に外れるおそれはない。
【先行技術文献】
【特許文献】
【０００６】
【特許文献１】特許第３３６８３７４号公報
【発明の概要】
【発明が解決しようとする課題】
【０００７】
しかしながら、上向きボルトへの挟着によって装着させる方式の屋根上取付具の場合、次のような問題があった。
【０００８】
図１４は、挟着によって装着するようにした従来の屋根上取付具の波形屋根への取付例の２例を示す概略説明図であり、図１４（ａ）は波形屋根Ｙの側端縁の山部Ｙ１の頂部Ｙ１ａにおけるハゼ式接合により形成されたハゼ部Ｄの脚部Ｄ１への挟着例であり、図１４（ｂ）は重ね式接合構造における上向きボルトＢへの挟着例である。いずれも、各屋根上取付具１００の上方に断熱シート１１０を固定して取り付けた例であり、２例とも、同種、同構造の屋根上取付具１００を使用している。
【０００９】
このように、断熱シート１１０を各屋根上取付具１００に固定して張り巡らせた場合、断熱シート１１０が雨水等により湿気を帯び、その後乾燥したときに断熱シート１１０が収縮することがある。そして、断熱シート１１０が屋根上取付具１００に強固に固定されていれば、その断熱シート１１０の収縮によって、断熱シート１１０の両側に配された屋根上取付具１００が中央に引っ張られて、ハゼ部Ｄや上向きボルトＢに挟着した挟着片１０１がずり上がるおそれがある。
【００１０】
この場合、ハゼ部Ｄへ装着したものでは、多少のずれが生じるおそれはあるもののハゼ部Ｄの上部が横方向に突出しているため、屋根上取付具１００がハゼ部Ｄから抜け出るおそれはないが（図１４（ａ）参照）、上向きボルトＢへ装着したものでは、強力な引張り力によって屋根上取付具１００が徐々に傾いていき、挟着片１０１の先端が上向きボルトＢの軸部Ｂ１をずり上がりながら外れてしまうおそれがある（図１４（ｂ）参照）。
【００１１】
したがって、このような上向きボルトＢへの挟着によって装着させる方式の屋根上取付具１００では、ハゼ部Ｄへ装着するものよりも強力な挟着力でもって装着する構造のものが必要とされていた。
【００１２】
本発明は、このような事情を考慮して提案されたもので、その目的は、波形屋根の上面より山座を介して突出した上向きボルトへ強力に装着でき、上向きボルトに固定した挟着片が外力によって外れるおそれがない屋根上取付具を提供することにある。
【課題を解決するための手段】
【００１３】
上記目的を達成するために、請求項１に記載の屋根上取付具は、先端同士が対向する一対の挟着片を下部に設けた略門形の挟着具を備えてなり、挟着具の一対の挟着片を波形屋根の頂部に固定して取り付けられる屋根上取付具において、波形屋根の頂部には、その上面より山座を介して上向きボルトが突出しており、挟着片の先端には、上向きボルトに対して係止可能な係止部が、上下方向に複数段に形成されており、一対の挟着片を近接させて、最下段の係止部を波形屋根の頂部と、山座との間に挿入させるとともに、上段の係止部を上向きボルトの軸部に挟着させるようにしたことを特徴とする。
【００１４】
請求項２に係る屋根上取付具では、波形屋根の頂部と、山座との間には防水パッキンが介装されており、最下段の係止部には、防水パッキンとの抵触を回避したパッキン収容凹部が形成されている。
【００１５】
請求項３に係る屋根上取付具では、上段の係止部は上向きボルトの軸部の外周面に係止可能な係止凹部を備えている。
【００１６】
請求項４に係る屋根上取付具では、挟着具が挟着片を下端に折曲形成させた脚片と、脚片を両端に有した上板とを含んで一体形成され、一対の脚片を緊締することで一対の挟着片を近接させる構造としている。
【００１７】
請求項５に係る屋根上取付具では、挟着具は挟着片がそれぞれの下端に折曲形成された一対の挟着部材を開閉自在に支点連結して構成されている。
【００１８】
請求項６に係る屋根上取付具では、挟着部材は中央にボルト貫通孔が開設され、ボルト貫通孔から一方の側端縁に至る切り溝が形成された上板と、上板の基端より下方に延びる脚片と、脚片の下端から上板と略同一の方向に延びる挟着片とより構成されており、挟着具は２つの挟着部材の上板同士を相対向させた状態で、相互の上板の先端が相手の上板の基端の下に配されるように、上板の切り溝同士を相互差し込みして両上板を揺動自在に噛み合わせてボルト貫通孔同士を一致させ、その一致させたボルト貫通孔に挟着具締付ボルトを通し、締付ナットを螺合することで挟着片の先端同士を近接させる構造としている
【発明の効果】
【００１９】
本発明によれば、次のような効果がある。
【００２０】
請求項１に係る屋根上取付具によれば、挟着具は一対の挟着片を近接させて、挟着片の先端に形成された最下段の係止部を波形屋根の頂部と、山座との間に挿入させる構造となっているため、つまり挟着具の挟着片を山座に引っ掛け係止する装着構造であるため、挟着具が外れるおそれはほとんどない。また、挟着片の上段の係止部を上向きボルトの軸部に挟着させる装着構造となっているため、最下段の係止部による挟着を補完できる。そして、これら２種類の上下複数段の係止によって、挟着片が外力によって上向きボルトから外れることを確実に防止することができる。
【００２１】
請求項２に係る屋根上取付具によれば、最下段の係止部には防水パッキンとの抵触を回避したパッキン収容凹部が形成されているので、挟着具の最下段の係止部を波形屋根の頂部と、山座との間に挿入したときにも防水パッキンが変形するほど係止部が接触するおそれはなく、防水パッキンが損傷することを防止できる。
【００２２】
請求項３に係る屋根上取付具によれば、上段の係止部が上向きボルトの軸部の外周面に係止可能な係止凹部を備えているので、挟着力を強めれば軸部の全周にわたってネジ溝に深く食い込ませることができ強力に上向きボルトに固定でき、最下段の係止部による固定を十分に補完することができる。
【００２３】
請求項４に係る屋根上取付具によれば、挟着具が挟着片を下端に折曲形成させた脚片と、脚片を両端に有した上板とを含んで一体形成されているため、挟着具を頑丈かつシンプルな形状に構成できる。また、一体形成であるため、両挟着片間でずれが発生するおそれもない。さらに、一対の脚片を緊締することで一対の挟着片を近接させる構造としているため、一対の脚片を緊締するための緊締ボルト等を設けるだけで緊締の構造を実現でき、そのため構造をシンプルにできる。
【００２４】
請求項５に係る屋根上取付具によれば、挟着具は、挟着片がそれぞれの下端に折曲形成された一対の挟着部材を開閉自在に支点連結して構成されているため、力点を操作することで作用点である挟着片を動作させることができ、その結果、簡易な操作で挟着片を上向きボルトに挟着させることができる。
【００２５】
請求項６に係る屋根上取付具によれば、挟着具は、２つの挟着部材の上板同士を相対向させた状態で、相互の上板の先端が相手の上板の基端の下に配されるように、上板の切り溝同士を相互差し込みして両上板を揺動自在に噛み合わせてボルト貫通孔同士を一致させ、その一致させたボルト貫通孔に挟着具締付ボルトを通し、締付ナットを螺合することで挟着片の先端同士を近接させる構造としているので、２枚重なった上板を挟着具締付ボルトと締付ナットで上下方向に締め付けるだけで容易に挟着片を近接させて上向きボルトに挟着させることができる。特に、締付ナットを上板の上面側に配するようにすれば、さらに締付操作を簡単に行える。
【００２６】
さらに、挟着具が２つの挟着部材で構成され、それらが開閉自在に支点連結されているので、挟着具締付ボルトと締付ナットとが緩んだ状態にあるときは、２つの挟着部材も緩んだ状態にある。そのため、挟着片を閉状態に固定するためには緩んだ締付ナットを締め付けて上板同士を固定するだけでよく、そのような締め付けは手操作でもできるため施工性がよい。
【図面の簡単な説明】
【００２７】
【図１】本発明に係る屋根上取付具の第１実施形態の説明図であり、（ａ）は屋根上取付具を波形屋根へ取り付ける前の状態を示した斜視図、（ｂ）は（ａ）において破線で囲んだ部分の展開平面図である。
【図２】（ａ）、（ｂ）は、同屋根上取付具の施工状態を示す部分断面正面図である。
【図３】（ｃ）、（ｄ）は、同屋根上取付具の施工状態を示す部分断面正面図である。
【図４】同屋根上取付具の他の施工例を示す斜視図である。
【図５】同施工例における同屋根上取付具の波形屋根への取り付け後を示す部分断面正面図である。
【図６】本発明に係る屋根上取付具の第２実施形態の説明図であり、屋根上取付具を波形屋根へ取り付ける前の状態を示した分解斜視図である。
【図７】同屋根上取付具の分解斜視図である。
【図８】（ａ）、（ｂ）は、同屋根上取付具の施工状態を示す部分断面正面図である。
【図９】（ｃ）、（ｄ）は、同屋根上取付具の施工状態を示す部分断面正面図である。
【図１０】同屋根上取付具の他の施工例を示す斜視図である。
【図１１】同施工例における同屋根上取付具の波形屋根への取り付け後を示す部分断面正面図である。
【図１２】（ａ）、（ｂ）は、本発明に係る屋根上取付具の第３実施形態を示す概略説明図である。
【図１３】（ａ）は、本発明の屋根上取付具の要部である挟着片の先端の他の形態を示す概略部分断面正面図、（ｂ）は同挟着片の先端部分の斜視図である。
【図１４】従来の屋根上取付具の異なる態様の屋根の山部に対する装着２例を示した図であり、（ａ）はハゼ部への挟着例、（ｂ）上向きボルトへの挟着例を示した正面図である。
【発明を実施するための形態】
【００２８】
以下に、本発明に係る屋根上取付具の実施の形態について、図面とともに説明する。
【００２９】
図１は、本発明に係る屋根上取付具の第１実施形態の説明図であり、図１（ａ）は屋根上取付具を波形屋根へ取り付ける前の状態を示した斜視図、図１（ｂ）は図１（ａ）において破線で囲んだ部分の展開平面図である。図２（ａ）、（ｂ）および図３（ｃ）、（ｄ）は、図１で示した屋根上取付具の施工状態を示す部分断面正面図である。
【００３０】
なお、図２（ａ）は、屋根上取付具Ａを波形屋根に取り付ける前の状態を示す部分断面正面図、図２（ｂ）は、屋根上取付具Ａの波形屋根の上向きボルトへの取り付け途中の状態を示す部分断面正面図、図３（ｃ）は、屋根上取付具Ａを波形屋根の上向きボルトに取り付けた状態を示す部分断面正面図、図３（ｄ）は、取り付けた屋根上取付具Ａに各種機器・部材類Ｅをさらに取り付けた状態を示す部分断面正面図を各々示している。
【００３１】
以下、詳説する。
【００３２】
この屋根上取付具Ａが取り付けされる波形屋根としては、図例として示した折板屋根Ｙ（角波形屋根）や丸波形屋根が挙げられる。また、屋根の素材としては、金属や合成樹脂、セメント系等のものが適用できる。
【００３３】
図例として示した折板屋根Ｙは、山部Ｙ１と谷部Ｙ２が交互に連続する屋根であって、複数の折板屋根材を側端縁の山部Ｙ１の頂部Ｙ１ａで重合し、その重合部で上向きボルトＢとナットＢ２の螺着によって連結した重ね式接合構造となっている。また、ボルト孔からの水の浸入を防止するために、ナットＢ２と頂部Ｙ１ａとの間に防水パッキンＣ１が取り付けられ、さらに、ナットＢ２と防水パッキンＣ１との間に防水パッキンＣ１を覆う山座Ｃが設けられている。
【００３４】
また、折板屋根Ｙの裏側には、正面視で折板屋根Ｙと略同形状をなす、ボルト止めのための支持金具Ｙ３が取り付けられている。なお、屋根上取付具Ａを取り付けるための上向きボルトＢの取付位置は隣接する折板屋根材の接合部に限らず、他の頂部に支持金具Ｙ３を用いて上向きボルトＢを取り付けてもよい。
【００３５】
この屋根上取付具Ａは、金属板または硬質樹脂板よりなり、折板屋根Ｙの頂部Ｙ１ａより上方に突出した重合部連結用の上記上向きボルトＢに挟着して、取り付け、固定する構造となっている。
【００３６】
具体的には、屋根上取付具Ａは、上板１１と、その両端から下方に延びた一対の脚片１２と、脚片１２のそれぞれの下端から、先端が相対向するように折曲形成された挟着片１３とが一体形成された、略門形の挟着具１により構成され、両脚片１２を緊締して、両挟着片１３の先端を相互に近接させて、上向きボルトＢに挟着させる構造となっている。この両脚片１２の緊締は、対向する両脚片１２に開設された軸孔１２ａに貫通された緊締用ボルト２５と、緊締用ナット２６との螺合によってなされる。また、上板１１の中央には、上向きボルトＢと同様の剣先ボルト３等を立設し、各種機器・部材類Ｅ（図３（ｄ）参照）を取り付け可能にしている。
【００３７】
この挟着片１３の先端には、上記上向きボルトＢに対して２通りの方法で係止可能な係止部１５、１４が上下方向に２段に形成されており、一対の挟着片１３を近接させることで、下段の係止部１４を折板屋根Ｙの頂部Ｙ１ａと、山座Ｃとの間に挿入させるとともに、上段の係止部１５を上向きボルトＢの軸部Ｂ１に挟着させるようになっている。
【００３８】
これらの係止部１４、１５は、挟着片１３の先端が折り曲げられて形成されており、下段の係止部１４は先端中央が湾曲形状に切り欠かれた形状となっており、上段の係止部１５は斜め上方に突出した係止突片１５ａを有した形状となっている。これらの係止部１４、１５は、図１（ｂ）の展開平面図に示すように、板片を一部切除、折曲、切り起こしすることによって形成したもので、容易に成形することができるものである。なお、図１（ｂ）中の破線は折り返し部を示している。
【００３９】
一対の挟着片１３の下段の係止部１４はそれぞれ、挟着片１３の先端部で構成され、相対するように山座Ｃの下方に挿入されて山座Ｃに対し引っ掛け係止するものである。また、先端の湾曲状のパッキン収容凹部１４ａは、下段の係止部１４の先端が山座Ｃの下方に挿入されて相互近接することにより空間を形成して、その空間に防水パッキンＣ１が収容されることとなる（図２（ｂ）、図３（ｃ）の各拡大平面図参照）。なお、図２（ｂ）、図３（ｃ）の各拡大平面図においては、防水パッキンＣ１を破線のクロスハッチングで示している。
【００４０】
このように、下段の係止部１４は山座Ｃの下方に入り込む構造であるため、いったん係止してしまえば、挟着具１を上方より引っ張ったり左右から押圧したりした程度では外れることはない。
【００４１】
なお、下段の係止部１４の先端同士は接触することが望ましいが、多少の隙間が開いてもよく、少なくとも山座Ｃに引っ掛かるように係止するものであればよい。また、パッキン収容凹部１４ａは防水パッキンＣ１との抵触を防止するものであるが、防水パッキンＣ１が押圧によって弾性収縮した状態が保持されたり、損傷したりしない程度であれば多少の接触は許容される。
【００４２】
また、図１（ａ）の破線で囲んだ係止部１４、１５周辺の拡大平面図に示すように、挟着片１３の先端中央に係止凹部１５ｃが形成され、その中央部分には２条の切り込み溝１５ｄが形成されている。上段の係止部１５は、この切り込み溝１５ｄに挟まれた、板片を上方に切り起こして突出させた係止突片１５ａと、起立されていない両内縁片１５ｂとの計３片で、上向きボルトＢの軸部Ｂ１を係止できるように構成されている。
【００４３】
つまり、挟着片１３の先端には、このような３片よりなる係止部１５が上段に形成されているから、この係止部１５によって上向きボルトＢの軸部Ｂ１の外周面に対して、２つの係止凹部１５ｃによってできる空間に向かう左右計６片よりなる係止部１５の各片を上向きボルトＢの軸部Ｂ１の外周面のネジ溝に食い込ませ、挟着させることができる。
【００４４】
このような係止構造によれば、上下２段に形成された２種の係止部１５、１４によって挟着力は強力となり、そのため、上向きボルトＢに挟着させた挟着片１３が外力によって上向きボルトＢから外れてしまうおそれはない。
【００４５】
また、上段の係止部１５による挟着力が下段の係止部１４の挟着力とあいまって、強固な挟着力が得られる。なお、上段の係止部１５は、内縁片１５ｂを上向きボルトＢのネジ溝に係止させず、係止突片１５ａのみをネジ溝に係止させて挟着する構造としてもよい。
【００４６】
また、より強力な挟着力を持たせるために、挟着片１３の先端に３段以上の係止部を折曲、切り起こしによって形成させてもよい。その場合でも、最下段の係止部１４のみが、折板屋根Ｙの頂部Ｙ１ａと山座Ｃとの間に挿入して係止し、上段の２段以上の係止部が上向きボルトＢの軸部Ｂ１に係止する。
【００４７】
以上のように構成した本発明の屋根上取付具Ａは、以下の要領で折板屋根Ｙに取り付けて使用する。
【００４８】
まず、両脚片１２の軸孔１２ａの一方から緊締用ボルト２５の軸部２５ａを貫通させ、緊締用ボルト２５の先端側から緊締用ナット２６を軽く締めて仮止め状態にしたうえで、折板屋根Ｙに立設された上向きボルトＢの上方から、両挟着片１３の間隙Ｓを通じて上向きボルトＢを嵌挿する（図２（ａ）参照）。
【００４９】
次に、仮止め状態にしていた緊締用ボルト２５および緊締用ナット２６を緊締すると、この締め付け力によって両脚片１２が近接して、両挟着片１３も互いに近接し、図２（ｂ）の破線で囲んだ山座Ｃ部分の拡大平面図に示すように、これらの挟着片１３の先端に設けた下段の係止部１４は頂部Ｙ１ａと山座Ｃとの間に挿入されて、山座Ｃに引っ掛け係止した状態となり、さらに挿入されて下段の係止部１４の先端が相互接触する状態となり、それとともに上段の係止部１５が上向きボルトＢの軸部Ｂ１の外周面のネジ溝に係止して上向きボルトＢを挟持する（図２（ｂ）、図３（ｃ）参照）。
【００５０】
このとき、下段の係止部１４同士の近接によって、パッキン収容凹部１４ａが合体して１つの空間を形成し、その空間に防水パッキンＣ１が配されることとなる（図３（ｃ）の拡大平面図参照）。
【００５１】
こうして折板屋根Ｙに取り付けた屋根上取付具Ａの上板１１の上方には、上板１１に立設された剣先ボルト３等によって各種機器・部材類Ｅを取り付けることができる（図３（ｄ）参照）。
【００５２】
以上、本実施形態で説明した通り、本発明の屋根上取付具Ａによれば、上下で２通りの係止構造で折板屋根Ｙから突出した上向きボルトＢに固定できるようになっているため、挟着片１３が外力によって上向きボルトＢから外れることを確実に防止することができる。特に、下段の係止部１４は山座Ｃに引っ掛け係止する装着構造であるため、挟着具１が外れるおそれはほとんどなく、また、上段の係止部１５を上向きボルトＢの軸部Ｂ１に挟着させる装着構造となっているため、最下段の係止部１４による挟着を補完することができる。
【００５３】
さらに、挟着具１は、挟着片１３を下端に折曲形成させた脚片１２と、脚片１２を両端に有した上板１１とを含んで一体形成されているため、挟着具１を頑丈かつシンプルな形状に構成できる。また、一体形成であるため、ずれが発生する可能性も低い。さらに、一対の脚片１２を緊締することで一対の挟着片１３を近接させる構造としているため、一対の脚片１２を緊締するための緊締用ボルト２５等を使用するだけでよく、そのため構造をシンプルにできる。なお、上板１１には剣先ボルト３を立設させずに平坦な形状とすることもできるため、上板１１の上方を種々の態様に使用することができる。
【００５４】
図４は、同屋根上取付具Ａの他の施工例を示す斜視図であり、図５は、同施工例における同屋根上取付具Ａの折板屋根Ｙへの取り付け後を示す部分断面正面図である。
【００５５】
ここで、図１〜図３と共通する部位には、同一の符号を付して、重複する説明を省略し、以下では、相異する点についてのみ説明する。
【００５６】
すなわち、本施工例では、図１〜図３で示した屋根上取付具Ａを用いて、折板屋根Ｙの連結構造として、折板屋根Ｙの上面に断面略円状に突出された丸ハゼ型のハゼ部Ｄによって連結されたものについて示している。なお、折板屋根Ｙの上面に断面略Ｌ状に突出された角ハゼ等についても同様であるため、角ハゼ等の説明については省略する。
【００５７】
具体的には、本発明の屋根上取付具Ａをハゼ部Ｄに取り付ける場合には、係止部１４、１５で係止するのではなく、挟着片１３の２段に形成された先端部１３ａを、折板屋根Ｙのハゼ部Ｄに形成された脚部Ｄ１に挟着させて取り付けることとなる。
【００５８】
したがって、この屋根上取付具Ａは上向きボルトＢに挟着させるための上下２通りの係止部１５、１４を有した構造であるが、ハゼ式接合により頂部Ｙ１ａに形成されたハゼ部Ｄに対しても、問題なく装着することができる。もちろん、ハゼ部Ｄがあるため、屋根上取付具Ａが外れるおそれはない。
【００５９】
ついで、第２実施形態について説明する。
【００６０】
図６は、本発明に係る屋根上取付具の第２実施形態の説明図であり、屋根上取付具を波形屋根へ取り付ける前の状態を示した斜視図である。図７は、同屋根上取付具の分解斜視図である。図８（ａ）、（ｂ）および図９（ｃ）、（ｄ）は、図６で示した屋根上取付具の施工状態を示す部分断面正面図である。
【００６１】
なお、図８（ａ）は、屋根上取付具Ａを波形屋根に取り付ける前の状態を示す部分断面正面図、図８（ｂ）は、屋根上取付具Ａの波形屋根の上向きボルトへの取り付け途中の状態を示す部分断面正面図、図９（ｃ）は、屋根上取付具Ａを波形屋根の上向きボルトＢに取り付けた状態を示す部分断面正面図、図９（ｄ）は、取り付けた屋根上取付具Ａに各種機器・部材類Ｅをさらに取り付けた状態を示す部分断面正面図を各々示している。
【００６２】
この屋根上取付具Ａが取り付けされる波形屋根としては、第１実施形態のものと同様、図例として示した折板屋根Ｙ（角波形屋根）や丸波形屋根が挙げられる。また、屋根の素材としては、金属や合成樹脂、セメント系等のものが適用できる。
【００６３】
また、屋根上取付具Ａの取付対象である折板屋根Ｙについても、第１実施形態で示した折板屋根Ｙと同一であり、その構造については、同一の符号を付して説明を省略する。
【００６４】
この屋根上取付具Ａは、一対の挟着部材１０を開閉自在に支点連結して挟着具１´を構成し、挟着具１´の作用点とされる相対向した一対の挟着片１３を相互近接させ固定して、折板屋根Ｙの頂部Ｙ１ａより突出した上向きボルトＢに挟着させる構造とした取付具であって、挟着片１３の先端に、折板屋根Ｙの頂部Ｙ１ａの上面に突出した上向きボルトＢに係止可能な２種の係止部１５、１４を、上下方向に２段に形成したものである。
【００６５】
まず、本発明の特徴である、挟着片１３の先端に設けられた２種の係止部１５、１４による上向きボルトＢへの挟着構造を除く挟着具１´の全体構造について説明する。
【００６６】
挟着具１´を構成する一対の挟着部材１０のそれぞれは、中央にボルト貫通孔１１ｅが開設され、ボルト貫通孔１１ｅから一方の側端縁に至る切り溝１１ｄが形成された上板１１と、上板１１の基端より折曲して下方に延びる脚片１２と、脚片１２の下端から上板１１と略同一の方向に延びる挟着片１３とより構成されている。
【００６７】
挟着具１´は、上記２つの挟着部材１０の上板１１同士を相対向させた状態で、相互の上板１１の先端が相手の上板１１の基端の下に配されるように、上板１１の切り溝１１ｄ同士を相互差し込みして両上板１１を揺動自在に噛み合わせてボルト貫通孔１１ｅ同士を一致させ、その一致させたボルト貫通孔１１ｅに挟着具締付ボルト２１を通し、締付ナット２２を螺合することで挟着片１３の先端同士を近接させる構造となっている。
【００６８】
ここで、挟着具締付ボルト２１としては、図示するように、角根丸頭ボルトを使用すればよく、締付ナット２２としては、ハット状の座金２２ｂの頂面にナット２２ａが回動自在に取り付けられた座金付きナットを使用すればよい。ボルト止め２３は合成樹脂等より製され、孔２３ａの周縁に複数の切り込み２３ｂが形成してある。
【００６９】
以上の構造を要約すれば、２つの挟着部材１０は上板１１に形成された切り溝１１ｄで交差状に連結され、挟着具締付ボルト２１と締付ナット２２で上下から２つの上板１１を締め付けることで、切り溝１１ｄ部分を支点として力点となる上板１１の先端を拡開させ、交差状態にある両上板１１をより平板状に近づけ、それによって作用点とされる両挟着片１３を相互近接させるような変形鋏構造となっている。
【００７０】
また、さらに具体的には、図７に示すように、上板１１は平板状の基端部１１ａと、その基端部１１ａより先端側に形成された段差部１１ｃと、その段差部１１ｃよりさらに先端側に形成された、基端部１１ａよりほぼ板厚１枚分低い位置にある先端部１１ｂとを備えている。そして、上板１１のほぼ中央には、段差部１１ｃを中心に基端部１１ａと先端部１１ｂにまたがる長孔が設けてあり、この長孔が上記ボルト貫通孔１１ｅを構成している。さらに、この長孔の先端部１１ｂ側の端部側には、下向きに切り起こした押さえ爪１１ｆが形成されている。また、このボルト貫通孔１１ｅに連通する上記切り溝１１ｄは、段差部１１ｃに沿って形成されている。なお上板１１は、全体として緩い前方傾斜状となっていることが望ましい。
【００７１】
このように、段差部１１ｃを、上板１１の中央に設けたボルト貫通孔１１ｅと切り溝１１ｄとに沿って形成することで、上板１１の先端部１１ｂが開いたときに、重合した２枚の上板１１がほぼ平板状となり、かつ上板１１の基端部１１ａと相手の挟着部材１０の上板１１の先端部１１ｂとの間の隙間がより小さくなって、ぐらつくおそれのない、より安定した形状とすることができる。
【００７２】
このような屋根上取付具Ａによれば、挟着具１´が２つの挟着部材１０で構成され、それらが開閉自在に支点連結されているので、挟着具締付ボルト２１と締付ナット２２とが緩んだ状態にあるときは、２つの挟着部材１０も緩んだ状態にある。そのため、挟着片１３を閉状態に固定するためには、締付ナット２２を締め付けて上板１１同士を固定するだけでよく、施工性がよい。
【００７３】
つぎに、本発明の特徴である、屋根上取付具Ａの挟着片１３による上向きボルトＢへの挟着構造について説明する。
【００７４】
この挟着片１３の先端には、２通りの係止構造により係止可能な係止部１５、１４が、上下方向に２段に形成されている。具体的には、挟着片１３の先端は、板片が折り返し成形されて２段となっており、下段には折板屋根Ｙの頂部Ｙ１ａと山座Ｃとの間に挿入される係止部１４が形成され、上段には上向きボルトＢの軸部Ｂ１の外周面に係止可能な係止部１４が形成されている。
【００７５】
つまり、上下２種の係止部１５、１４の構造は、第１実施形態の屋根上取付具Ａのものと同様であり、同様の効果が奏される。なお、係止部１５周辺の拡大平面図については、図１に示したものと同様である。
【００７６】
また、屋根上取付具Ａが２つの挟着部材１０よりなる挟着具１´で構成されているため、挟持対象の存在しない状態で挟着片１３を近接させると、上板１１のボルト貫通孔１１ｅに形成された遊び等により両挟着片１３の先端が水平方向にずれるおそれがあるが、上向きボルトＢの軸部Ｂ１に対して、上段の係止部１５によって係止、挟持する構造であるため、上向きボルトＢを挟持対象とする限りは、そのようなずれが発生するおそれはない。かりに、少しのずれがある状態で上向きボルトＢを挟持したとしても、係止凹部１５ｃで上向きボルトＢを嵌合しているため、ずれが大きくなることはない。つまり、上段の係止部１５によって、下段の係止部１４では防止できない微妙なずれの発生を阻止することができる。
【００７７】
以上のように構成した本発明の屋根上取付具Ａは、以下の要領で折板屋根Ｙに取り付けて使用する。
【００７８】
まず、屋根上取付具Ａを挟着具１´の両挟着片１３が十分に開いた状態、つまり挟着具締付ボルト２１、締付ナット２２の螺合を緩めて、２つの挟着部材１０を開閉自在に支点連結しておき、折板屋根Ｙに立設された上向きボルトＢの上方から、両挟着片１３間の間隙Ｓを通じて上向きボルトＢを嵌挿する（図８（ａ）を参照）。
【００７９】
次に、仮止め状態にしていた挟着具締付ボルト２１および締付ナット２２を締め付けていくと、揺動自在に緩んだ状態で交差状に重合していた両上板１１が平板状に近づき、それと同時に両脚片１２の下端より延びた両挟着片１３も互いに近接し、図８（ｂ）の破線で囲んだ山座Ｃの拡大平面図に示すように、これらの挟着片１３の先端に設けた下段の係止部１４は頂部Ｙ１ａと山座Ｃとの間に挿入されて、山座Ｃを引っ掛け係止した状態となり、さらに挿入されて下段の係止部１４（挟着片１３）の先端同士が接触する状態となり、それとともに上段の係止部１５が上向きボルトＢの軸部Ｂ１の外周面のネジ溝に係止して上向きボルトＢを挟持する（図８（ｂ）、図９（ｃ）参照）。
【００８０】
このとき、下段の係止部１４同士の近接によって、パッキン収容凹部１４ａが合体して１つの空間を形成し、その空間に防水パッキンＣ１が配されることとなる（図９（ａ）の拡大平面図参照）。なお、図８（ｂ）、図９（ａ）の各拡大平面図においては、防水パッキンＣ１を破線のクロスハッチングで示している。
【００８１】
このように、下段の係止部１４には防水パッキンＣ１との抵触を回避したパッキン収容凹部１４ａが形成されているので、挟着具１´を上向きボルトＢに装着することによって防水パッキンＣ１が劣化、損傷することを防止できる。
【００８２】
こうして折板屋根Ｙに取り付けた屋根上取付具Ａの上板１１の上方には、上板１１に立設された挟着具締付ボルト２１等によって各種機器・部材類Ｅを取り付けることができる（図９（ｄ）参照）。
【００８３】
以上、本実施形態で説明した通り、本発明の屋根上取付具Ａによれば、上下で２通りの係止構造で折板屋根Ｙから突出した上向きボルトＢに固定できるようになっているため、挟着片１３が外力によって上向きボルトＢから外れることを確実に防止することができる。特に、下段の係止部１４は山座Ｃに引っ掛け係止する装着構造であるため、挟着具１´が外れるおそれはほとんどなく、また、上段の係止部１５を上向きボルトＢの軸部Ｂ１に挟着させる装着構造となっているため、最下段の係止部１４による挟着を補完することができる。
【００８４】
図１０は、同屋根上取付具Ａの他の施工例を示す取付前の斜視図であり、図１１は、図１０で示した屋根上取付具Ａの施工状態を示す部分断面正面図である。
【００８５】
本施工例では、図６〜図９で示した屋根上取付具Ａを用いて、折板屋根Ｙの連結構造として、折板屋根Ｙの上面に断面略円状に突出された丸ハゼ型のハゼ部Ｄによって連結されたものについて示している。
【００８６】
本施工例については、挟着片１３の先端に形成された上下２種の係止部１５、１４の構造および挟着具１´全体の構造は図６〜図９で示したものと同様であり、かつ、その挟着片１３のハゼ部Ｄに対する挟着構造は、第１実施形態の図４および図５に示したものと同様であるため、詳細な構造および効果については説明を省略する。
【００８７】
ついで、図１２を参照しながら、本発明に係る屋根上取付具Ａの第３実施形態について説明する。図１２は同実施形態を示す概略説明図であり、図１２（ａ）、（ｂ）は施工状態を示す概略正面図である。
【００８８】
この屋根上取付具Ａは、一対の挟着部材１０を開閉自在に支点連結して挟着具１´を構成し、挟着具１´の作用点とされる相対向した一対の挟着片１３を相互近接させ固定して、折板屋根Ｙの頂部Ｙ１ａより突出した上向きボルトＢに挟着させる構造としたものであって、挟着片１３の先端に、折板屋根Ｙの頂部Ｙ１ａの上面に突出した上向きボルトＢに係止可能な上下２種の係止部１５、１４を形成したものである。
【００８９】
具体的には、この屋根上取付具Ａは、上記した実施形態のものとちがって、力点である操作片１７が支点の上方にあり、上記した第２実施形態と同様に、交差状に連結された支点の下方に脚片１２と挟着片１３とが延びている。そして、操作片１７を緊締用ボルト２５、緊締用ナット２６等で締め付けることで、挟着片１３を上向きボルトＢに挟着させることができる。こうして取り付けた屋根上取付具Ａの操作片１７に、各種機器・部材類を取り付けることができる。
【００９０】
なお、本発明の特徴部分である、挟着片１３の先端に形成された上下２種の係止部１５、１４については、上記した実施形態と同一の構造であるため、その構造および効果についての説明は省略する。
【００９１】
つぎに、本発明の屋根上取付具Ａの要部である、挟着片１３の先端に形成された上下２種の係止部１５、１４の他の形態例について説明する。
【００９２】
図１３は他の形態例の説明図であり、図１３（ａ）は屋根上取付具Ａの概略部分断面正面図、図１３（ｂ）は挟着片１３の先端部分の斜視図である。
【００９３】
この形態例は、挟着片１３の先端に上下２種の係止部１５、１４を構成するために、挟着片１３自体を上下方向に２段に形成したものである。
【００９４】
すなわち、この屋根上取付具Ａは、脚片１２の下端部分の中央部が切り起こしされ、その中央部を上部に、両側部を下部に二股分離することで挟着片１３が上下２段に並設され、それによって上下２種の係止部が形成されている。
【００９５】
このように、挟着片１３を上下に分離する構造によれば、材料を増やすことなく、安価に屋根上取付具Ａを製造することができる。なお、この例においても、最下段の係止部を頂部と山座との間に挿入係止でき、複数の上段の係止部を上向きボルトＢの軸部Ｂ１に係止できる、３段以上の係止構造としてもよい。
【符号の説明】
【００９６】
Ａ      屋根上取付具
１、１´      挟着具
１０      挟着部材
１１      上板
１２      脚片
１３      挟着片
１４      下段の係止部
１４ａ      パッキン収容凹部
１５      上段の係止部
１５ａ      係止突片
１５ｂ      内縁片
１５ｃ      係止凹部
１５ｄ      切り込み溝
１７      操作片
２１      挟着具締付ボルト
２２      締付ナット
２３      ボルト止め
２５      緊締用ボルト
２６      緊締用ナット
Ｂ      上向きボルト
Ｂ１      軸部
Ｂ２      ナット
Ｃ      山座
Ｃ１      防水パッキン
Ｄ      ハゼ部
Ｄ１      脚部
Ｙ      折板屋根（波形屋根）
Ｙ１      山部
Ｙ１ａ      頂部
【図１】
2011111746.tif 000003
【図２】
2011111746.tif 000004
【図３】
2011111746.tif 000005
【図４】
2011111746.tif 000006
【図５】
2011111746.tif 000007
【図６】
2011111746.tif 000008
【図７】
2011111746.tif 000009
【図８】
2011111746.tif 000010
【図９】
2011111746.tif 000011
【図１０】
2011111746.tif 000012
【図１１】
2011111746.tif 000013
【図１２】
2011111746.tif 000014
【図１３】
2011111746.tif 000015
【図１４】
2011111746.tif 000016
【手続補正書】
【提出日】平成22年5月18日(2010.5.18)
【手続補正１】
【補正対象書類名】明細書
【補正対象項目名】００３９
【補正方法】変更
【補正の内容】
【００３９】
一対の挟着片１３の下段の係止部１４はそれぞれ、挟着片１３の先端部で構成され、相対向するように山座Ｃの下方に挿入されて山座Ｃに対し引っ掛け係止するものである。また、先端の湾曲状のパッキン収容凹部１４ａは、下段の係止部１４の先端が山座Ｃの下方に挿入されて相互近接することにより空間を形成して、その空間に防水パッキンＣ１が収容されることとなる（図２（ｂ）、図３（ｃ）の各拡大平面図参照）。なお、図２（ｂ）、図３（ｃ）の各拡大平面図においては、防水パッキンＣ１を破線のクロスハッチングで示している。
【手続補正２】
【補正対象書類名】明細書
【補正対象項目名】００７０
【補正方法】変更
【補正の内容】
【００７０】
また、さらに具体的には、図７に示すように、上板１１は平板状の基端部１１ａと、その基端部１１ａより先端側に形成された段差部１１ｃと、その段差部１１ｃよりさらに先端側に形成された、基端部１１ａよりほぼ板厚１枚分低い位置にある先端部１１ｂとを備えている。そして、上板１１のほぼ中央には、段差部１１ｃを中心に基端部１１ａと先端部１１ｂにまたがる長孔が設けてあり、この長孔が上記ボルト貫通孔１１ｅを構成している。さらに、この長孔の先端部１１ｂ側の端部には、下向きに切り起こした押さえ爪１１ｆが形成されている。また、このボルト貫通孔１１ｅに連通する上記切り溝１１ｄは、段差部１１ｃに沿って形成されている。なお上板１１は、全体として緩い前方傾斜状となっていることが望ましい。